(57)【特許請求の範囲】
【請求項１】
回線網側とファクシミリデータの授受を行う回線Ｉ／Ｆ部に半導体化ＤＡＡを備えたファクシミリ装置において、
前記半導体化ＤＡＡは、ファクシミリデータの受信経路とは別の経路で前記回線網側或いは下流機器側からのトーン信号を高インピーダンスで受信する、半導体化されたトーン信号受信部を有する回線網側回路部と、モデム・主制御部側回路部と、前記回線網側回路部とモデム・主制御部側回路部とを結合する結合用絶縁部とを備え、
前記トーン信号受信部で受け取られたトーン信号は、ファクシミリデータと共用される前記結合用絶縁部の伝送ラインを介して、前記モデム・主制御部側回路部に伝達されることを特徴とするファクシミリ装置。
【請求項２】
回線網側とファクシミリデータの授受を行う回線Ｉ／Ｆ部に半導体化ＤＡＡを備えたファクシミリ装置において、
前記半導体化ＤＡＡは、ファクシミリデータの受信経路とは別の経路で前記回線網側或いは下流機器側からのトーン信号を高インピーダンスで受信する、半導体化されたトーン信号受信部と、前記トーン信号受信部のトーン信号経路をオン・オフするためのスイッチとを備えていることを特徴とするファクシミリ装置。
【請求項３】
前記半導体化ＤＡＡは、回線網側回路部と、モデム・主制御部側回路部と、前記回線網側回路部とモデム・主制御部側回路部とを結合する結合用絶縁部とを備え、
前記トーン信号受信部は、前記回線網側回路部に設けられていることを特徴とする、請求項２記載のファクシミリ装置。
【請求項４】
前記スイッチをオン・オフ制御するための制御信号は、ファクシミリデータと共用される前記結合用絶縁部の伝送ラインを介して、前記モデム・主制御部側回路部から伝達されることを特徴とする、請求項３記載のファクシミリ装置。
【請求項５】
電話からファクシミリへの切換機能を有しており、前記トーン信号受信部はファクシミリ通信であることを指示するＣＮＧ信号を受信することを特徴とする、請求項１乃至４のいずれか一項に記載のファクシミリ装置。
【請求項６】
ファクシミリ通信網サービス機能を有しており、前記トーン信号受信部はファクシミリ通信網サービスの呼び出し信号であるＦＣ信号を受信することを特徴とする、請求項１乃至４のいずれか一項に記載のファクシミリ装置。
【請求項７】
電話からファクシミリへのリモート切換機能を有しており、前記トーン信号受信部は切換合図のリモート番号であるＤＴＭＦ信号を受信することを特徴とする、請求項１乃至４のいずれか一項に記載のファクシミリ装置。
【請求項８】
電話からファクシミリへの切換機能と、ファクシミリ通信網サービス機能と、電話からファクシミリへのリモート切換機能とを有しており、前記トーン信号受信部は、ファクシミリ通信であることを指示するＣＮＧ信号、ファクシミリ通信網サービスの呼び出し信号であるＦＣ信号、切換合図のリモート番号であるＤＴＭＦ信号を共通に受信するように構成されていることを特徴とする、請求項１乃至４のいずれか一項に記載のファクシミリ装置。
【発明の詳細な説明】
【０００１】
【発明の属する技術分野】
本発明は、半導体化されたデータアクセス装置（Data  Access  Arrangement；ＤＡＡ）を搭載し、且つＣＮＧ信号（コーリング・トーン信号）検出による電話からファクシミリ（以下、ＴＥＬ→ＦＡＸ）への自動切換機能、ＦＣ信号（ファクシミリ通信網信号）検出によるＦＡＸ通信網サービス機能，及びＤＴＭＦ信号（２重トーン多周波数信号）検出によるＴＥＬ→ＦＡＸリモート切換機能を備えたファクシミリ装置に関するものである。
【０００２】
【従来の技術】
従来のファクシミリ装置においては、電話回線とのインターフェース（Ｉ／Ｆ）をとるために、ＦＡＸモデムと回線間とのインピーダンス整合及び回線網側の統合回路とモデム側の統合回路間の絶縁に６００Ωで終端されたトランスと、ＣＮＧ信号／ＦＣ信号／ＤＴＭＦ信号の各トーン信号における回線網側の統合回路とモデム側の統合回路間の伝送と絶縁にハイインピーダンスで終端されたトランスの、二つのトランスが使用されている（特開平Ｈ５−１２２４２８号公報、特開平Ｈ８−１３９８６６号公報参照）。
【０００３】
一方、最近では、回線Ｉ／Ｆのアナログ回路を半導体化してトランスを使用しない半導体化ＤＡＡが、データモデムなどのインターフェースとして使われ、回路の簡略化／小型化，コストダウンが図られている。
【０００４】
この半導体化ＤＡＡ（以下、代表してシリコンＤＡＡ、という）を、図８に示されるように、ファクシミリ装置に利用することが考えられる。図８では、回線網２とモデム１２との間をシリコンＤＡＡ、即ち回線網側統合回路１１３，受け渡し手段１１４、モデム・主制御部側統合回路１１５で構成している。なお、１１１は全波整流回路、１１０はＣＭＬリレーであり、１１６はフック検出回路である。
【０００５】
そのシリコンＤＡＡをファクシミリ装置に利用するとなると、さらにＴＥＬ→ＦＡＸ自動切換機能としてのＣＮＧ信号の検出や，ＦＡＸ通信網サービスの呼出信号としてのＦＣ信号の検出，或いはＴＥＬ→ＦＡＸリモート切換機能としてのＤＴＭＦ信号の検出を行うことが別途必要である。しかし、そのシリコンＤＡＡには、それらの各トーン信号を、受信したり、受け渡すための手段は備えられていない。このため、図８のように従来と同じく外部にハイインピーダンスで終端されたトランス１１８を使用しなくてはならない。
【０００６】
【発明が解決しようとする課題】
そこで、本発明は、回線Ｉ／ＦにおけるシリコンＤＡＡを、ＴＥＬ→ＦＡＸ自動切換を指示するＣＮＧ信号や，ＦＡＸ通信網サービスの呼出信号としてのＦＣ信号，或いはＴＥＬ→ＦＡＸリモート切換機能としてのＤＴＭＦ信号等の検出に利用可能とし、それらトーン信号の検出にハイインピーダンスで終端されたトランスを不要として、装置構成を簡略化、小型化し、コストダウンしたファクシミリ装置を提供することを目的とする。
【０００７】
【発明を解決するための手段】
請求項１記載のファクシミリ装置は、回線網側とファクシミリデータの授受を行う回線Ｉ／Ｆ部に半導体化ＤＡＡを備えたファクシミリ装置において、前記半導体化ＤＡＡは、ファクシミリデータの受信経路とは別の経路で前記回線網側或いは下流機器側からのトーン信号を高インピーダンスで受信する、半導体化されたトーン信号受信部を有する回線網側回路部と、モデム・主制御部側回路部と、前記回線網側回路部とモデム・主制御部側回路部とを結合する結合用絶縁部とを備え、前記トーン信号受信部で受け取られたトーン信号は、ファクシミリデータと共用される前記結合用絶縁部の伝送ラインを介して、前記モデム・主制御部側回路部に伝達されることを特徴としている。
請求項２記載のファクシミリ装置は、回線網側とファクシミリデータの授受を行う回線Ｉ／Ｆ部に半導体化ＤＡＡを備えたファクシミリ装置において、前記半導体化ＤＡＡは、ファクシミリデータの受信経路とは別の経路で前記回線網側或いは下流機器側からのトーン信号を高インピーダンスで受信する、半導体化されたトーン信号受信部と、前記トーン信号受信部のトーン信号経路をオン・オフするためのスイッチとを備えていることを特徴としている。
【０００８】
請求項３記載のファクシミリ装置は、請求項２記載のファクシミリ装置において、前記半導体化ＤＡＡは、前記回線網側回路部と、モデム・主制御部側回路部と、この回線網側回路部とモデム・主制御部側回路部とを結合する結合用絶縁部とを備え、前記トーン信号受信部は、前記回線網側回路部に設けられていることを特徴としている。
請求項４記載のファクシミリ装置は、請求項３記載のファクシミリ装置において、前記スイッチをオン・オフ制御するための制御信号は、ファクシミリデータと共用される前記結合用絶縁部の伝送ラインを介して、前記モデム・主制御部側回路部から伝達されることを特徴としている。
【０００９】
請求項５記載のファクシミリ装置は、請求項１〜４のいずれかに記載のファクシミリ装置において、電話からファクシミリへの切換機能を有しており、前記トーン信号受信部はファクシミリ通信であることを指示するＣＮＧ信号を受信することを特徴としている。
【００１０】
請求項６記載のファクシミリ装置は、請求項１〜４のいずれかに記載のファクシミリ装置において、ファクシミリ通信網サービス機能を有しており、前記トーン信号受信部はファクシミリ通信網サービスの呼び出し信号であるＦＣ信号を受信することを特徴としている。
【００１１】
請求項７記載のファクシミリ装置は、請求項１〜４のいずれかに記載のファクシミリ装置において、電話からファクシミリへのリモート切換機能を有しており、前記トーン信号受信部は切換合図のリモート番号であるＤＴＭＦ信号を受信することを特徴としている。
【００１２】
請求項８記載のファクシミリ装置は、請求項１〜４のいずれかに記載のファクシミリ装置において、電話からファクシミリへの切換機能と、ファクシミリ通信網サービス機能と、電話からファクシミリへのリモート切換機能とを有しており、前記トーン信号受信部は、ファクシミリ通信であることを指示するＣＮＧ信号、ファクシミリ通信網サービスの呼び出し信号であるＦＣ信号、切換合図のリモート番号であるＤＴＭＦ信号を共通に受信するように構成されていることを特徴としている。
【００１６】
【発明の実施の形態】
以下、本発明のファクシミリ装置の実施の形態を、図を参照して説明する。
【００１７】
図１は、本発明のファクシミリ装置１の全体構成を示すブロック図である。図１において、主制御部１０は、ＲＯＭ１３に記憶された各種制御プログラムに従ってファクシミリ装置全体を制御する。本発明に直接関わる回線Ｉ／Ｆ部１１の制御もここで行われる。ＲＡＭ１４は、各種必要なデータ及び本ファクシミリ装置の全体制御のワークエリア領域等を含む。画情報メモリ１５は、受信画情報や送信画情報を蓄積するメモリである。符号化／復号化部１６は、送信画情報をＭＨ・ＭＲ・ＭＭＲ符号化方式等の所定の符号化方式で圧縮する一方、受信画情報をＭＨ・ＭＲ・ＭＭＲ復号化方式等の所定の復号化方式で伸張するものである。読取部１７は、送信原稿をその線密度に応じて画像データに変換するものである。記録部１８は、受信画情報を３．８５本／ｍｍ，７．７本／ｍｍ，１５．４本／ｍｍ等の所定の線密度に応じて用紙に印字出力するためのものである。操作部１９は、ダイヤルキーとしてのテンキー、各動作合図としてのスタート／ストップキー、各種処理を実行するためのファンクションキー等からなり、それらの情報は液晶・ＬＥＤ等の表示器を含む表示部２０に表示されその確認がなされる。
【００１８】
モデム１２は、回線Ｉ／Ｆ部１１を介して回線網２に送信するデータを変調する一方、回線Ｉ／Ｆ部１１を介して回線網２から受信するデータを復調するものである。また、内部のデジタルフィルタにより、回線Ｉ／Ｆ部１１からのＣＮＧ信号、ＦＣ信号や、ＤＴＭＦ信号等の各種トーン信号を検出するトーン検出器も備えている。回線Ｉ／Ｆ部１１は、主制御部１０より発着呼の際に所定の回線網２の制御、主に各種スイッチの制御が行われる。また、外付電話機，留守番電話機，ＴＡＭ（Telephone Answering Machine）等の下流機器３が接続される。本発明の半導体化ＤＡＡ（以下、代表してシリコンＤＡＡ）はこの部分が該当する。
【００１９】
シリコンＤＡＡの説明の前に、本ファクシミリ装置のＴＥＬ→ＦＡＸ自動切換機能，ＦＡＸ通信網サービス機能，ＴＥＬ→ＦＡＸリモート切換機能について図１を参照しながら簡単に説明する。ＴＥＬ→ＦＡＸ自動切換機能は、操作部１９でユーザーが受信モードを自動切換モードに選択した場合に機能し、回線網２からのリンギング信号が到来した時、ファクシミリ装置１は応答せず下流機器３での応答が優先される。この時、相手が電話通話であった場合、ファクシミリ装置１は何も反応しないが、相手がＦＡＸ通信であった場合は特有な１１００ＨｚのＣＮＧ(Calling Tone)信号を回線Ｉ／Ｆ部１１を通して自動的に検出しＦＡＸ通話に切換える機能である。ＦＡＸ通信網サービス機能は、公衆電話会社が提供するサービスの一つであり、相手がファクシミリ通信網からの呼出であった場合、無鳴動の呼出信号である１３００ＨｚのＦＣ信号が回線網２から回線Ｉ／Ｆ部１１を通して到来し、これを検出することによりＦＡＸ通信であることを即時に判断することができる機能である。ＴＥＬ→ＦＡＸリモート切換機能は、操作部１９でユーザーが受信モードをＴＥＬモードに選択した場合に機能し、回線網２からのリンギングが到来した時、下流機器３での応答のみになる。受信者が応答後に相手がＦＡＸ通信であることが回線網２からのモニタ音で判断されると、ＴＥＬ→ＦＡＸに切り換えるために、リモート番号であるＤＴＭＦ信号を所定の数だけダイヤルし、これをファクシミリ装置１が回線Ｉ／Ｆ部１１を通して検出することで、ＴＥＬ→ＦＡＸに切換える機能である。
【００２０】
図２，図３は、本発明のシリコンＤＡＡを使用した回線Ｉ／Ｆ部１１の構成を示すブロック図である。シリコンＤＡＡは、主に回線終端，回線側とモデム側などの絶縁，ハイブリット，リンギング検出等の機能を持っている。そして、シリコンＤＡＡは、回線網２側回路部である回線網側統合回路１１３，モデム１２や主制御部側の回路部であるモデム・主制御部側統合回路１１５，及びこれら二つの統合回路１１３，１１５を直流的に絶縁し、かつデータ・信号などを伝達する絶縁部である受け渡し部１１４の三つの部分で構成されている。
【００２１】
回線Ｉ／Ｆ部１１には、シリコンＤＡＡの外、ＴＥＬ→ＦＡＸ切換のためＣＭＬ（Connect MODEM to Line）リレー、ダイオードブリッジ１１１，フックスイッチ１１２、フック検出回路１１６及び直流ループカット用コンデンサ１１７ａ、１１７ｂ等が設けられている。なお、Ｌ１，Ｌ２は回線網２側への端子であり、Ｔ１，Ｔ２は下流機器３側への端子である。
【００２２】
シリコンＤＡＡは大きく分けて二種類のタイプがあり、ＦＡＸデータのＡ／Ｄ変換、Ｄ／Ａ変換を行うＣＯＤＥＣがモデム１２やモデム・主制御部側の統合回路１１５に設けられているものと、回線網側の統合回路１１３に設けられているものである。
【００２３】
図２は、ＣＯＤＥＣ１１３５が回線網２側の統合回路１１３に設けられている場合であり、絶縁部１１４はディジタル伝達になり高絶縁のコンデンサが一般的に用いられる。一方、図３はＣＯＤＥＣ１２０がモデム２（或いはモデム・主制御部側の統合回路１１３）に設けられている場合であり、絶縁部１１４はアナログ伝達になり、アナログフォトカプラなどの高絶縁性素子が一般的に用いられる。
【００２４】
以下の説明では、図２のＣＯＤＥＣ１１３５が回線網２側の統合回路１１３に設けられている場合を例に説明する。
【００２５】
図２において、待機時において、ＣＭＬリレー１１０は電話機などの下流機器３側にオンにされており、ＦＡＸ通信が始まると、主制御部１０よりＣＭＬリレー制御信号をオフにして回線網２を下流機器３から切り離す。ダイオードブリッジ１１１は、回線網２の直流ループ電流の極性を一方向に整流するものである。フックスイッチ１１２は、高耐圧のＭＯＳＦＥＴが使われ、モデム１２をオフフック状態にさせるものである。
【００２６】
ＦＡＸ通信が始まる時、主制御部１０のフックスイッチ制御信号が発生され、統合回路１１５の制御Ｉ／Ｆ１１５２→絶縁Ｉ／Ｆ１１５０→絶縁部１１４のコンデンサ１１４ｂ→統合回路１１３の絶縁Ｉ／Ｆ１１３６→フックスイッチ１１２の経路を通り、フックスイッチ１１２がオンに制御される。フック検出回路１１６は下流機器３のオフフックを検出するものであり、下流機器３がオフフックになると、フック検出回路１１６に直流ループ電流が流れ、フック検出信号がＨ（ハイレベル）→Ｌ（ローレベル）に変化し、下流機器３のオフフックが主制御部１０で検出される。
【００２７】
次に、回線網２側の統合回路１１３について述べる。統合回路１１３の電源は、回線網２から供給され、ダイオードブリッジ１１１により整流されて回線網２の電圧極性に関係なく一定極性の電圧になる。ＦＡＸ通信が始まると、電流センサ１１３０に直流ループ電流が流れるかどうかで、オフフックが成されているか判断できる。リング検出回路１１３１に回線網２からリンギング信号が到来すると、それと同じサイクルで、リング検出回路１１３１→絶縁Ｉ／Ｆ１１３６→絶縁部１１４のコンデンサ１１４ａ→絶縁Ｉ／Ｆ１１５０→制御Ｉ／Ｆ１１５２を通り、リング検出信号がＨ⇔Ｌに出力され、主制御部１０により検出される。
【００２８】
終端抵抗１１３２は回線網２の終端インピーダンスを決定する抵抗であり、その仕様は各国の通信規格により決まる。ハイブリットネットワーク１１３３は、回線網２からのＦＡＸデータを送信／受信データに分離する２線−４線変換回路，送信データの受信経路への回り込みを抑制するキャンセラー回路，及びフィルタ回路等から成る。受信アンプ１１３４ａ、送信アンプ１１３４ｂは、送信・受信データのゲイン調整を行うものである。ＣＯＤＥＣ１１３５は、ＦＡＸ受信データ及び送信データのＡ／Ｄ変換及びＤ／Ａ変換を行うものである。
【００２９】
回線網側の統合回路１１３の絶縁Ｉ／Ｆ１１３６は、電流センサ１１３０からのフック信号，リング検出回路１１３１からのリング検出信号の各信号、及びＣＯＤＥＣ１１３５からのＦＡＸ受信データを、絶縁部１１４のコンデンサ１１４ａに対しシリアルデータに一本化する一方、フックスイッチ１１２へのフックスイッチ制御信号，トーンスイッチ１１３９へのトーンスイッチ制御信号の各制御信号、及びＣＯＤＥＣ１１３５へのＦＡＸ送信データに対し、絶縁部１１４のコンデンサ１１４ｂからのシリアル信号をそれぞれに分離するものである。
【００３０】
抵抗１１３８ａ、１１３８ｂは、高抵抗値であり、回線網２や下流機器３から見たインピーダンスがハイインピーダンス状態になっている。トーンアンプ１１３７は差動型の増幅器であり、回線網２のＬ１―Ｌ２及び下流機器３のＴ１−Ｔ２に対し、抵抗１１３８ａ、１１３８ｂを介して差動入力になっている。このトーンアンプ１１３７及び抵抗１１３８ａ、１１３８ｂは、トーン信号受信部を構成する。
【００３１】
トーンスイッチ１１３９は、ＦＡＸ通信中以外はオンの状態になっており、ＦＡＸ通信が始まった途端にオフにされ、ＦＡＸ通信中に下流機器３側等からトーンアンプ１１３７の経路から回り込んでくる虞のあるノイズを遮断する。このトーンスイッチ１１３９のオン・オフ制御は、主制御部１０のトーンスイッチ制御信号により制御Ｉ／Ｆ１１５２→絶縁Ｉ／Ｆ１１５０→絶縁部１１４のコンデンサ１１４ｂ→絶縁Ｉ／Ｆ１１３６→トーンスイッチ１１３９を通り行われる。トーンアンプ１１３７の出力は、トーンスイッチ１１３９を介して受信アンプ１１３４ａに加算入力されている。
【００３２】
このように、シリコンＤＡＡは、ファクシミリデータの受信経路（ハイブリットネットワーク１１３３等）とは別の経路、即ちトランスを使用せず半導体化されたトーン信号受信部（トーンアンプ１１３７及び抵抗１１３８ａ、１１３８ｂ）で回線網２側或いは下流機器３側からのトーン信号を高インピーダンスで受信するから、ファクシミリ装置を小型化でき、コストダウンを図ることができる。
【００３３】
また、シリコンＤＡＡは、回線網側統合回路１１３と、モデム・主制御部側統合回路１１５と、この回線網側統合回路とモデム・主制御部側統合回路とを結合する結合用絶縁部１１４とを備えており、この回線網側統合回路１１３にトーン信号受信部（トーンアンプ１１３７及び抵抗１１３８ａ、１１３８ｂ）が設けられているから、トーン信号受信部で受信されたトーン信号は結合用絶縁部１１４を介してモデム・主制御部側統合回路１１５に伝達することができる。
【００３４】
次に、モデム側の統合回路１１５について述べる。統合回路１１５の電源は、ファクシミリ装置１本体から供給される。モデム側の統合回路１１５の絶縁Ｉ／Ｆ１１５０は、回線網側の統合回路１１３の絶縁Ｉ／Ｆ１１３６と逆の機能を受け持ち、ＦＡＸ受信データはＴＸ／ＲＸＩ／Ｆ１１５１，各検出信号は制御Ｉ／Ｆ１１５２に分離し、ＴＸ／ＲＸＩ／Ｆ１１５１からのＦＡＸ送信データと制御Ｉ／Ｆ１１５２からの各制御信号を一本化するものである。また、ＴＸ／ＲＸＩ／Ｆ１１５１はＦＡＸデータについてモデム１２とのＩ／Ｆを行うものであり、制御Ｉ／Ｆ１１５２は、主制御部１０とのＩ／Ｆを行うものである。ＣＮＧ信号／ＦＣ信号の各トーン信号は、モデム１２の内部に備えるデジタルフィルタで構成されたトーン検出器で検出され、ＤＴＭＦ信号も同じく、モデム１２の内部に備えるデジタルフィルタで構成されたＤＴＭＦ検出器で検出される。
【００３５】
このように構成されたファクシミリ装置の、特に回線Ｉ／Ｆ１１における各信号の流れについて図４〜図７を参照して説明する。
【００３６】
まず、図４において、ＴＥＬ→ＦＡＸ自動切換機能を動作させるときのＣＮＧ信号受信時には、ＣＭＬリレー１１０はオン，フックスイッチ１１２はオフ，トーンスイッチ１１３９はオンの状態で且つ下流機器３がオフフックの状態である。このとき、ＣＮＧ信号が回線網２から到来すると、ＣＮＧ信号は、図中破線矢印で示されるように、ＣＭＬリレー１１０→コンデンサ１１７ａ、１１７ｂ→抵抗１１３８ａ、１１３８ｂ→トーンアンプ１１３７→トーンスイッチ１１３９→受信アンプ１１３４ａ→ＣＯＤＥＣ１１３５→絶縁Ｉ／Ｆ１１３６→絶縁部１１４のコンデンサ１１４ａ→絶縁Ｉ／Ｆ１１５０→ＴＸ／ＲＸＩ／Ｆ１１５１→モデム１２の流れとなる。なお、一点鎖線矢印は、直流ループ電流の経路を示している。
【００３７】
このモデム１２に伝達されたＣＮＧ信号は、モデム１２の内部に備えられているディジタルフィルタでその特定の周波数１１００Ｈｚが検出され、ＣＮＧ信号の到来が認識される。ＣＮＧ信号の到来検出により、ＣＭＬリレー制御信号によりＣＭＬリレー１１０はオフされ、フックスイッチ制御信号によりフックスイッチ１１２はオンされ，トーンスイッチ１１３９はオフされる。これにより、回線網２からのＦＡＸデータを受信することができるようになる。
【００３８】
次に、図５において、ＦＡＸ通信網サービスの呼出信号としてのＦＣ信号受信時には、ＣＭＬリレー１１０はオン，フックスイッチ１１２はオフ，トーンスイッチ１１３９はオンの状態で且つ下流機器がオンフックの待機の状態である。このときのＦＣ信号の流れは、図中破線矢印で示されるように、ＣＮＧ信号と同様である。モデム１２に伝達されたＦＣ信号は、モデム１２の内部に備えられているディジタルフィルタでその特定の周波数１３００Ｈｚが検出され、同様にＣＭＬリレー１１０はオフされ、フックスイッチ１１２はオンされ，トーンスイッチ１１３９はオフされる。これにより、回線網２からのＦＡＸデータを受信することができるようになる。
【００３９】
次に、図６において、ＴＥＬ→ＦＡＸリモート切換機能動作時のリモート番号としてのＤＴＭＦ信号受信時には、ＣＭＬリレー１１０はオン，フックスイッチ１１２はオフ，トーンスイッチ１１３９はオンの状態で且つ下流機器３がオフフックの状態である。 このとき、下流機器３から到来するＤＴＭＦ信号は、図中破線矢印で示されるように、下流機器（例、外付電話器）３→フック検出回路１１６→コンデンサ１１７ａ、１１７ｂ→抵抗１１３８ａ、１１３８ｂ→トーンアンプ１１３７→トーンスイッチ１１３９→受信アンプ１１３４ａ→ＣＯＤＥＣ１１３５→絶縁Ｉ／Ｆ１１３６→絶縁部１１４のコンデンサ１１４ａ→絶縁Ｉ／Ｆ１１５０→ＴＸ／ＲＸＩ／Ｆ１１５１→モデム１２の流れとなる。なお、一点鎖線矢印は、直流ループ電流の経路を示している。
【００４０】
このモデム１２に伝達されたＤＴＭＦ信号は、モデム１２の内部に備えられているディジタルフィルタでその特定の周波数の組み合わせを判別して、そのＤＴＭＦ信号が検出される。これにより、ＣＮＧ信号の場合と同様に、ＣＭＬリレー１１０はオフされ、フックスイッチ１１２はオンされ，トーンスイッチ１１３９はオフされて、回線網２からのＦＡＸデータを受信することができるようになる。
【００４１】
このように、トランスを使用しないシリコンＤＡＡに、高インピーダンス状態で受け取る、電話からファクシミリへの自動切換機能としてのＣＮＧ信号受信部，ファクシミリ通信網サービスの呼出信号としてのＦＣ信号受信部，或いは電話からファクシミリへのリモート切換機能としてのＤＴＭＦ信号受信部を、共通のトーン信号受信部（トーンアンプ１１３７及び抵抗１１３８ａ、１１３８ｂ）で構成し、ファクシミリデータの受信経路とは別の経路で設けているから、各トーン信号を確実に検出するとともに、小型化，コストダウンを図ることができる。
【００４２】
また、トーン信号受信部で受け取られたＣＮＧ信号，ＦＣ信号，ＤＴＭＦ信号の各トーン信号は、ファクシミリデータと共用される、結合用絶縁部１１４のコンデンサ１１４ａの伝送ラインを介して、モデム・主制御部側回路部に伝達されるから、結合用絶縁部１１４の構成が簡略化できる。また、結合用絶縁部１１４のみでなく、受信アンプ１１３４ａやＣＯＤＥＣ１１３５、絶縁Ｉ／Ｆ１１３６等も、ファクシミリデータと共用することができるから、装置構成が簡単になる。
【００４３】
また、トーン信号受信部のトーン信号経路をオン・オフするためのトーンスイッチ１１３９を例えばトーンアンプ１１３７の出力側に設けるから、ファクシミリデータ受信中にトーン信号受信部からのノイズを遮断することができ、ファクシミリ通信の性能を保つことができる。
【００４４】
さらに、トーン信号受信部のトーン信号経路をオン・オフするためのトーンスイッチ１１３９の制御信号や、フックスイッチ１１２をオン・オフするための制御信号等、シリコンＤＡＡ内に設けられている制御部への制御信号は、ファクシミリデータと共用される結合用絶縁部１１４の共通の伝送ライン（コンデンサ１１４ｂ）を介して、モデム・主制御部側統合回路部１１５から回線網側統合回路１１３に伝達されるから、結合用絶縁部１１４の構成が簡略化できる。
【００４５】
次に、ＣＮＧ信号などの検出の結果、回線網２からのＦＡＸデータを受信する。ＦＡＸ受信データは、ＣＭＬリレー１１０はオフ，フックスイッチ１１２はオン，トーンスイッチ１１３９はオフの状態で、図中破線矢印で示されるように、回線網２→ダイオードブリッジ１１１→電流センサ１１３０／フックスイッチ１１２→ハイブリットネットワーク１１３３→受信アンプ１１３４ａ→ＣＯＤＥＣ１１３５→絶縁Ｉ／Ｆ１１３６→絶縁部１１４のコンデンサ１１４ａ→絶縁Ｉ／Ｆ１１５０→ＴＸ／ＲＸＩ／Ｆ１１５１→モデム１２の流れとなり、ファクシミリ装置本体側に供給される。
【００４６】
逆にＦＡＸ送信データは、ＣＭＬリレー１１はオフ，フックスイッチ１１２はオン，トーンスイッチ１１３９はオフの状態で、図中一点鎖線矢印で示されるように、モデム１２→ＴＸ／ＲＸＩ／Ｆ１１５１→絶縁Ｉ／Ｆ１１５０→絶縁部１１４のコンデンサ１１４ｂ→絶縁Ｉ／Ｆ１１３６→ＣＯＤＥＣ１１３５→送信アンプ１１３４ｂ→ハイブリットネットワーク１１３３→電流センサ１１３０／フックスイッチ１１２→ダイオードブリッジ１１１→回線網２の流れとなり、回線網２側に送信される。
【００４７】
以上の説明では、図２のＣＯＤＥＣ１１３５が回線網２側の統合回路１１３に設けられている場合を例に説明したが、図３のようにＣＯＤＥＣ１２０がモデム２（或いはモデム・主制御部側の統合回路１１３）に設けられている場合にも、図２に対する場合と同様に適用することができる。
【００４８】
この図３の場合には、ＣＯＤＥＣ１２０がモデム２に設けられていることに伴い、絶縁部１１４はアナログ伝達になる。このため、その高絶縁性素子としてアナログフォトカプラ１１４ａ、１１４ｂなどが用いられること、回線側統合回路１１３に図２のような絶縁Ｉ／Ｆ１１３６がなく、アンプ１１３４ａ，１１３４ｂで直接にデータや信号を授受すること、及びモデム・主制御部側統合回路１１５には、受信用アンプ１１５ａや送信用アンプ１１５ｂが設けられ、これによりデータや信号を授受すること、等の点で、具体的な構成が一部異なっている。
【００４９】
しかし、この図３のようにＣＯＤＥＣ１２０がモデム２に設けられているファクシミリ装置であっても、図２で説明したファクシミリ装置と同様の効果を得ることができる。
【００５０】
【発明の効果】
この発明のファクシミリ装置によれば、回線網側とファクシミリデータの授受を行う回線Ｉ／Ｆ部に半導体化ＤＡＡを備え、この半導体化ＤＡＡは、ファクシミリデータの受信経路とは別の経路で回線網側或いは下流機器側からのトーン信号を高インピーダンスで受信する、トランスを使用しない半導体化されたトーン信号受信部を有するから、ファクシミリ装置を小型化でき、コストダウンを図ることができる。
【図面の簡単な説明】
【図１】本発明のファクシミリ装置の全体構成を示すブロック図。
【図２】本発明の半導体化ＤＡＡを使用した回線Ｉ／Ｆ部の構成図。
【図３】本発明の他の半導体化ＤＡＡを使用した回線Ｉ／Ｆ部の構成図。
【図４】ＣＮＧ信号受信時の受信経路を示す図。
【図５】ＦＣ信号受信時の受信経路を示す図。
【図６】ＤＴＭＦ信号受信時の受信経路を示す図。
【図７】ＦＡＸデータの送受信経路を示す図。
【図８】従来の半導体化ＤＡＡコンを用いたファクシミリ装置の構成図。
【符号の説明】
１  ファクシミリ装置
１０  主制御部
１１  回線Ｉ／Ｆ部
１２  モデム
１３  ＲＯＭ
１４  ＲＡＭ
１５  画情報メモリ
１６  符号化／復号化部
１７  読取部
１８  記録部
１９  操作部
２０  表示部
１１０  ＣＭＬリレー
１１１  ダイオードブリッジ
１１２  フックスイッチ
１１３  回線網側統合回路
１１３０  電流センサ
１１３１  リング検出回路
１１３２  終端抵抗
１１３３  ハイブリットネットワーク
１１３４  送信アンプ・受信アンプ
１１３５  ＣＯＤＥＣ
１１３６  絶縁Ｉ／Ｆ
１１３７  トーンアンプ
１１３８  抵抗
１１３９  トーンスイッチ
１１４  絶縁部
１１５  モデム・主制御部側統合回路
１１５０  絶縁Ｉ／Ｆ
１１５１  ＴＸ／ＲＸＩ／Ｆ
１１５２  制御Ｉ／Ｆ
１１６  フック検出回路
１１７  直流カットコンデンサ
１２０  ＣＯＤＥＣ
【図１】
0004503890.tif 000002
【図２】
0004503890.tif 000003
【図３】
0004503890.tif 000004
【図４】
0004503890.tif 000005
【図５】
0004503890.tif 000006
【図６】
0004503890.tif 000007
【図７】
0004503890.tif 000008
【図８】
0004503890.tif 000009